(57)【要約】      （修正有）【課題】人々が、文明的な生活を送る為、必要な電気を安価にして生活力に活かし、どこでも、世界中で、一定量の水で双子水車の回転で発電機を発電させ、安全で安価な電気を各家庭で使用できる双子水車を提供する。【解決手段】主軸３と軸４に、羽根１を取り付け羽根１の双方にカバー板をその上、取水口下、落下水口を穴け、型板５に、主軸３と軸４を固定し、軸受にベアリングを使用し中型板６で、羽根回転室とし、中型板６に穴けた所を主軸３と軸４を通し、歯車２を双方に取り付けて歯車カバー９を型板７で支え、固定しベアリングで軸受けにし、型板７に、穴けて主軸３を外に出し、プーリーを取り付けた。又、歯車２を噛み合わせて、羽根１の双方をぶつからないように、互差させた所に、落下水で羽根１を回転させ歯車２を回転させ、回転力を等分化にし、双子水車の回転力を主軸３に集めて主軸３の回転力で、発電機を発電させ電気を使用することを特徴とした。【選択図】図２
2014152772.tif 000002
【特許請求の範囲】
【請求項１】
発電機を回す原動力の双子水車、二つの軸に二つの羽根（１）取り付けて、水車とし、片方を主軸（３）とし、二つの水車の軸（４）に、二つの歯車を組み合わせ、羽根を回転時に、双方の羽根を噛み合わせぶつからないように落下水で、羽根（１）と歯車（２）が軸（４）と主軸（３）を回転させ、主軸（３）にプーリー（１０）を取り付けて、回転動力が発電機を回転させ、電気を発電させる、双子水車である。
【発明の詳細な説明】
【発明の詳細な説明】
【技術分野】
【０００１】この発明は、電機を必要とする人々に、安全で安い電気を仕様できる発電機を回す、発電装置に関するものである。
【背景技術】
【０００２】従来、電気を使用する人々が、水力、火力、原子力、風力、太陽地熱力等に依る電気を電力会社より、供給されて使用中である。
【発明が解決しようとする課題】
【０００３】これには、現在の発電に、次のような欠点がある。
イ．水力発電には、土地、地所の確保の資金
自然を破壊し、ダムや送電線等、莫大な資金が必要。又、農業生産にも多大の迷惑となっている。
ロ．火力発電は、資源燃料に資金確保、発電の為に、地球温暖化の原因大、資源火石燃料費に依る電気料金が高くなり、生活力を低下させる。
ハ．原子力発電は、人間の生命を守る、対策がとれていないのに稼働させ地震や、津波による事故対策さえ万全になっていない。
又、放射能対策も万全でなく、財産、生命、事故対策、対応対策、現状で全く、対処できていない。
ニ．風力発電は、一定の風力を得ることは、天候に大きく左右させる。国民の生活に万全ではないし、これに、頼ることはできていない。
ホ．ソーラー発電は、安定源の電力を得ていない。
天候に大きく左右され、日照時間も一定しないし、電力を一定しようとすれば、生活者の負担が多く成り、現状で安定した供給発電として住民全体に行き届けられるまでは、なっていない。又、地熱発電も、現在使用一部で、現状で共有源になっていない。
【課題を解するための手段】
【０００４】双子水車の主軸が発電機を回す動力源は、主軸（３）と軸の各々に、羽根（１）と、歯車（２）を取り付け、落下させた水を受けて、回転羽車となり、歯車で噛み合わせて、双方の羽根（１）も交互させて、ぶつからないように、噛み合わせ水を受けた力を主軸（３）と軸（４）の回転等分にさせてある。主軸（３）のプーリーで。回転動力を継ぎ、発電機を回転させ発電させる、双子水車である。
【発明を実施するための形態】
【０００５】生活に必要な電機を安全で安価、安定した電気を各家庭で、使用できる発電機を回す、双子水車は、回転主軸（３）と回転軸（４）に羽根と歯車を取り付けて、水車を二つ組み合わせ均等した回転力を主軸（４）から、発電機への動力源とさせた。又、回転軸双方に、ベアリングを使用し、潤滑に回転をさせている。
この双子水車と、高所ポンプと発電機を組み合わせ、パイプを使用しポンプで高所に上げた水の落下で、双子水車を回転させ、水が下の水槽へ、一定量の水を、巡回させて使用する。
又、発電ＫＷ数を上げるには、ポンプ容量と発電機の容量と双子水車の容量を大きくすれば、必要なＷ数が得る事ができる。
【実施例】
【０００６】以下、本発時の実施例について説明する。
イ．双子水車の回転主軸（３）と回転軸（４）に羽根（１）と歯車（２）を双方に取り付け、歯車（２）を噛み合わせ、羽根も相互に、噛み合わせて均等力にして落下水を羽根で受けて回転力で、発電機を回転させた。
ロ．落下する水が直接、交互させた二つの水車の羽根（１）を回転させて、回転させた水が直下に、落下するようにした。又、三枚の型板を使用し型板（５）と型板（６）で、主軸（３）と軸（４）に取り付けた羽根の周りに囲い板を使用し、囲い板の上に水の取水口と下側直下に、羽根を回した水が直下に落下する落下口を取り付け分散しないようにし、又、型板（６）に主軸（３）、軸（４）を通し、主軸（３）と軸（４）に羽根と羽根がぶつからないように交互をさせる歯車（２）を二つ取り付けた、主軸（３）軸（４）を三枚目の型板（７）にも、軸（４）を受ける、ベアリングを取り付け、主軸は、ベアリングで固定型板の外へ主軸（３）を出して、回転させるようにし、歯車二つの回る型板（６）と型板（７）の間にカバーを取り付け、型板（５）と型板（６）と型板（７）の組み合わせを支える為に、三枚の型板の四カ所にボルトを入れて、ネジで締めている。又、型板（５）にも主軸（３）と軸（４）の軸受けベアリングを使用し、ベアリングの固定が主軸、軸等の固定にも成っている。
ハ．ベアリングを使用し、落下する水の力で羽根軸を回す為に、回転を潤滑にするように使用した。
歯車は、主軸と軸、両歯車の相方に、キィー溝を掘り、ノックピンで両方を固定した。
羽根車の両方に羽根がぶつからないように、噛み合わせ、交差させて回転するように、主軸と軸にギアーを使用しており、落下する水の力を両羽根に加わる、分担にし、両軸に等分科にした回転力を主軸にプーリーに集め、発電機を回転させる動力源とした。
【発明の効果】
【０００７】イ．発電機を回す回転力が、一定量の水をポンプで高所へ上げ落下する水の力で、双子水車を回転させ、その回転力で発電機を回し、発電させて、電気を使用する事ができた。
ロ．使用する電気使用容量大は、容量の水を高く上げる、水量を多く上げて、双子水車を大きくする事で、ＫＷを大きくする発電機を回転させる事が可能。
ハ．一般家庭で使用し、ポンプを使用し、余った電気を売る事もできる発電機、ポンプ、双子水車の三つを組み合わせて、使用する為に、発電機が一番、高額代金となるが、全体の費用が安価で安全で、各家庭で使用することができる電気である。
ニ．ポンプを回す時だけ、蓄電池が必要で発電機が回転し、発電を始めたら、蓄電池に蓄電させた後は、持続して電気を使用できる。
ホ．蓄電池を使用することで、世界中のどこでも使用。一定量の水があれば、持続可能となる。
ヘ．自然破壊と、人命さえ守れぬ原子力発電の対策無の現状。資源燃料、化石燃料、電気にすれば家庭の生活への負担。ソーラー、風水車の電気代金も生活への負担。電気を自由に使用すれば、生活への負担になる。これからの負担を少なくする。
ト．双子水車での発電機の電気代は、自由に使用し長く使用すれば、使用する程、代金は安く成る。現在、使用する電気器具、機械等、家庭での使用具は可能である。容量の家庭に必要数量（ＫＷ）で使用する人々が人間らしい生活をする為に、今や、電気が必要である。必要である電気を安く各家庭で、発電機を回す動力源の双子水車である。
波及効果、相乗効果に、この双子水車は、羽根を回転させる事で、気体、埃、煙、悪臭、温風、冷風等々を送ることや、吸い取ることができる。水を使用せず、動力で回転させれば、以上のように使用できる。
【図面の簡単な説明】
【図１】本説明の双子水車を正面図と、反対からの裏面図と上からの本体図
【図２】双子水車を上からの断面図
【図３】双子水車の構造図と組み立て図
【図４】双子水車側より、透視図
【符号の説明】１．羽根（水車）×２
２．歯車×２
３．主軸
４．軸
５．型板
６．中型板
７．型板（外に出た主軸（３）にプーリーを取り付ける）
５．６の間に、羽根（水車）カバー（８）
６．７の間に、歯車カバー（９）
３．４の支えに、ベアリング４ヶ使用
５．６．７．を固定するボルトとナットを使用
又３．４の軸とベアリング（２×２）を固定させる。
溝を相方に掘って、固定芯を入れて、固定させている。
３．４の軸に、水車の羽根を取り付けている。
【図１】
2014152772.tif 000003
【図２】
2014152772.tif 000004
【図３】
2014152772.tif 000005
【図４】
2014152772.tif 000006